(57)【要約】【課題】バンドの着脱を容易にしてステアリングホイールに対する電子機器の位置調整やバンドを締め付けなおすことを容易に行うことを可能とする保持具を提供する。【解決手段】保持具１はステアリングホイールリング２１に巻きつけられるバンド８が取り付けられるホイール取付部１２とホイール取付部１２に連なりかつリモコン装置２が取り付けられる機器固定部１３とを備えている。機器固定部１３のリモコン装置２が重ねられる表面１３ａにバンド８の余長部分Ｙを位置決めするバンド位置決め部２４が設けられている。【選択図】図７
2009083576.tif 000002
【特許請求の範囲】
【請求項１】
ステアリングホイールに巻きつけられるバンドが取り付けられるホイール取付部と、
前記ホイール取付部に連なりかつ電子機器が取り付けられる機器固定部と、
を備えた保持具において、
前記機器固定部に、前記バンドの余長部分を位置決めするバンド位置決め部が設けられていることを特徴とする保持具。
【請求項２】
前記バンド位置決め部が、前記機器固定部の電子機器が重ねられる表面に設けられていることを特徴とする請求項１に記載の保持具。
【発明の詳細な説明】
【技術分野】
【０００１】
本発明は、自動車のステアリングホイールにカーオーディオのリモコン装置などの電子機器を取り付けるための保持具に関する。
【背景技術】
【０００２】
例えば、移動体としての自動車のインストルメントパネル（以下インパネと呼ぶ）には、ナビゲーション装置などのＡＶ機器が取り付けられる。この種のＡＶ機器を操作するためのリモコン装置などの電子機器をステアリングホイールに取り付けることが提案されている（例えば、特許文献１参照）。
【０００３】
特許文献１には、ステアリングホイールに巻きつけられるバンドが固定されるホイール取付部と、このホイール取付部に取り付けられるとともに前記リモコン装置を固定する機器固定部とを備えた保持具が示されている。この種の保持具は、ステアリングホイールに巻きつけられるバンドをホイール取付部に固定した後、当該バンドの余長部分が切断された後、機器固定部がホイール取付部に取り付けられるなどして組み立てられる。そして、保持具は、機器固定部にリモコン装置が取り付けられて用いられる。
【特許文献１】特開２００１−３０９４６６号公報
【発明の開示】
【発明が解決しようとする課題】
【０００４】
しかしながら、前述した保持具は、バンドの余長部分を切断してしまうので、ステアリングホイールに対するリモコン装置の位置調整や、経年変化によって伸びたバンドを再度締め付けなおすために、ホイール取付部に着脱する際のバンドを掴む部分が非常に少なかった。このため、バンドのホイール取付部への着脱が困難で、ステアリングホイールに対する電子機器の位置調整やバンドを締め付けなおすことが非常に困難であった。
【０００５】
したがって、本発明の目的は、例えば、バンドのホイール取付部への着脱を容易にしてステアリングホイールに対する電子機器の位置調整やバンドを締め付けなおすことを容易に行うことを可能とする保持具を提供することにある。
【課題を解決するための手段】
【０００６】
前記課題を解決し目的を達成するために、請求項１に記載の本発明の保持具は、ステアリングホイールに巻きつけられるバンドが取り付けられるホイール取付部と、前記ホイール取付部に連なりかつ電子機器が取り付けられる機器固定部と、を備えた保持具において、前記機器固定部に、前記バンドの余長部分を位置決めするバンド位置決め部が設けられていることを特徴としている。
【発明を実施するための最良の形態】
【０００７】
以下、本発明の一実施形態にかかる保持具を説明する。本発明の一実施形態にかかる保持具は、機器固定部にバンドの余長部分を位置決めするバンド位置決め部を設けることで、当該バンド位置決め部に位置決めされたバンドの余長部分を掴むことによって、当該バンドを容易にホイール取付部に着脱することができる。こうすることで、ステアリングホイールに対する電子機器の位置調整やバンドを締め付けなおすことを容易に行うことができる。
【０００８】
また、バンド位置決め部を機器固定部の電子機器が重ねられる表面に設けても良い。この場合、電子機器を機器固定部に取り付けると、バンドの余長部分が機器固定部と電子機器との間に挟まれるので、美観を損なうことを防止でき、さらに、余長部分の位置ずれを防止できる。
【実施例】
【０００９】
以下、本発明の一実施例にかかる保持具１を、図１ないし図７に基づいて説明する。図１などに示す保持具１は、電子機器としてのリモコン装置２を自動車のステアリングホイール２０に取り付けるためのものである。
【００１０】
リモコン装置２は、その自身の外殻を構成する装置本体３と、該装置本体３の表面３ａに設けられた各種の操作部４と、当該装置本体３内に収容された各種の電子部品を備えている、リモコン装置２は、操作部４が操作されることで、自動車のインストルメントパネルに取り付けられる電子機器としてのナビゲーション装置の各種の操作を行うために用いられる。
【００１１】
また、リモコン装置２の前記操作部４が設けられた表面３ａの裏側の裏面３ｂには、図７に示すように、着脱部５が設けられている。着脱部５は、装置本体３の裏面３ｂに開口した孔であり、互いに連なる幅広部６と幅狭部７とを備えている。幅広部６は、勿論、装置本体３の幅方向の幅が、幅狭部７の装置本体３の幅方向の幅よりも大きく形成されている。また、幅広部６と幅狭部７とは、装置本体３の長手方向に沿って、並べられている。
【００１２】
保持具１は、図１に示すように、一対のバンド８と、保持具本体９と、を備えている。バンド８は、ゴムなどの弾性変形（伸縮）自在な合成樹脂で構成され、帯状に形成されている。バンド８は、図２に示すように、その長手方向の一端部に一つの係止孔１０を設け、その長手方向の中央部から他端部にかけて複数の係止孔１１を設けている。これらの係止孔１０，１１は、勿論、バンド８を貫通しているとともに、その平面形状が矩形状に形成されている。また、係止孔１１は、バンド８の長手方向に沿って、互いに間隔をあけて、等間隔に設けられている。
【００１３】
保持具本体９は、硬質な合成樹脂で構成され、ホイール取付部１２と、機器固定部１３とを一体に備えている。ホイール取付部１２と、機器固定部１３とは、それぞれ、平面形状が矩形状の平板状に形成されている。ホイール取付部１２と機器固定部１３とが互いに幅方向の一方の縁部が連なって、保持具本体９は、側方からみてく字に形成されている。
【００１４】
ホイール取付部１２の他方の縁部には、図３に示すように、バンド８の一端部を固定するための固定爪１４が設けられている。また、固定爪１４は、ホイール取付部１２の長手方向の両端部に設けられている。固定爪１４は、係止孔１０内に侵入して、当該係止孔１０内に係止することで、バンド８の一端部を固定する。
【００１５】
ホイール取付部１２の一方の縁部には、バンド８の中央部から他端部にかけて設けられた係止孔１１のいずれかに係止する固定爪１５（図５に示す）と、当該バンド８を通すための通し孔１６（図４に示す）を設けている。固定爪１５と通し孔１６は、ホイール取付部１２の長手方向の両端部に設けられている。固定爪１５は、複数の係止孔１１のうちいずれかに侵入して、当該係止孔１１内に係止することで、バンド８の中央部から他端部までのうちの一箇所を固定する。通し孔１６は、バンド８の他端部を内側に通す。
【００１６】
ホイール取付部１２は、係止孔１０に一端部が取り付けられたバンド８がステアリングホイール２０のステアリングホイールリング２１に巻きつけられ、当該巻きつけられたバンド８の中央部から他端部にかけて設けられた複数の係止孔１１のうちのいずれかの係止孔１１に固定爪１５が係止することで、ステアリングホイール２０のステアリングホイールリング２１に取り付けられる。
【００１７】
機器固定部１３には、図２に示すように、スライド用孔１７と、固定具１８とが設けられている。スライド用孔１７は、機器固定部１３の中央部に設けられている、スライド用孔１７は、機器固定部１３を貫通している。スライド用孔１７は、機器固定部１３の長手方向に沿って直線状に延在している。固定具１８は、スライド用孔１７内に取り付けられている。
【００１８】
固定具１８は、機器固定部１３のホイール取付部１２が立設する側の表面１３ａから立設した立設柱２２と、当該立設柱２２の機器固定部１３の表面１３ａから最も離れた先端に設けられた拡大部２３とを備えている。立設柱２２即ち固定具１８は、スライド用孔１７の長手方向に沿ってスライド自在に、当該スライド用孔１７に支持されている。拡大部２３は、立設柱２２の先端から機器固定部１３の幅方向の両方向に延在している。
【００１９】
また、機器固定部１３の前述した表面１３ａには、バンド位置決め部２４が設けられている。バンド位置決め部２４は、表面１３ａからの凹の溝状に形成されている。バンド位置決め部２４は、直線状に延在し、かつその長手方向が機器固定部１３の幅方向に沿っている。また、バンド位置決め部２４は、機器固定部１３の長手方向の両端部に設けられ、固定爪１５及び通し孔１６と、機器固定部１３の幅方向に並ぶ位置に配置されている。
【００２０】
前述した機器固定部１３は、その表面１３ａ上にリモコン装置２を重ね、固定具１８の拡大部２３を着脱部５の幅広部６内を通した後、固定具１８をスライドさせて、拡大部２３と表面１３ａとの間に装置本体３を挟み込むことで、リモコン装置２が取り付けられる。
【００２１】
前述した構成の保持具１は、以下のように、リモコン装置２をステアリングホイール２０のステアリングホイールリング２１に取り付ける。まず、図２に示すように、各バンド８の一端部の係止孔１０に固定爪１４を係止させて、該バンド８の一端部をホイール取付部１２に取り付ける。そして、図４に示すように、ステアリングホイール２０のステアリングホイールリング２１にホイール取付部１２を密着させて、バンド８をステアリングホイールリング２１に巻きつけるとともに、当該バンド８の他端部を通し孔１６内に通す。
【００２２】
その後、バンド８の他端部を引っ張って、当該バンド８を密着させた状態で、複数の係止孔１１のうちいずれかを固定爪１５に係止させて、ホイール取付部１２即ち保持具１をステアリングホイールリング２１に取り付ける。その後、図６に示すように、バンド位置決め部２４内にバンド８の中央部から他端部に亘る部分を重ねた後、バンド８を切断して、当該バンド８の機器固定部１３の幅方向の縁からはみ出した部分を除去する。すると、バンド８の固定爪１５が係止した係止孔１１から当該バンド８の他端部の先端までの余長部分Ｙがバンド位置決め部２４内に位置付けられて位置決めされる。
【００２３】
そして、図７に示すように、表面１３ａにリモコン装置２を重ね、固定具１８の拡大部２３を着脱部５の幅広部６内を通す。そして、図８に示すように、固定具１８をスライドさせて、拡大部２３と表面１３ａとの間に装置本体３を挟み込むことで、図１に示すように、リモコン装置２を機器固定部１３即ち保持具１に取り付ける（即ち固定する）。
【００２４】
また、保持具１をステアリングホイールリング２１から取り外す際には、余長部分Ｙを引っ張るなどして、係止孔１１の固定爪１５の係止を解除する。
【００２５】
本実施例によれば、機器固定部１３にバンド８の余長部分Ｙを位置決めするバンド位置決め部２４を設けているので、当該バンド位置決め部２４に位置決めされたバンド８の余長部分Ｙを掴むことによって、当該バンド８を容易にホイール取付部１２に着脱することができる。このため、ステアリングホイール２０に対するリモコン装置２の位置調整やバンド８を締め付けなおすことを容易に行うことができる。
【００２６】
また、バンド位置決め部２４を機器固定部１３のリモコン装置２が重ねられる表面１３ａに設けているので、リモコン装置２を機器固定部１３に取り付けると、バンド８の余長部分Ｙが機器固定部１３とリモコン装置２との間に挟まれる。したがって、美観を損なうことを防止でき、さらに、余長部分Ｙの位置ずれを防止できる。
【００２７】
前述した実施例では、リモコン装置２をステアリングホイールリング２１に取り付けたが、本発明では、リモコン装置２以外の種々の電子機器をステアリングホイールリング２１に取り付けても良い。また、バンド８を二本設けたが、本発明では、バンド８を何本設けても良い。さらに、本発明では、バンド８のホイール取付部１２に対する取付位置を種々変更しても良い。
【００２８】
前述した実施例によれば、以下の保持具１が得られる。
【００２９】
（付記）  ステアリングホイール２０に巻きつけられるバンド８が取り付けられるホイール取付部１２と、
前記ホイール取付部１２に連なりかつリモコン装置２が取り付けられる機器固定部１３と、
を備えた保持具１において、
前記機器固定部１３に、前記バンド８の余長部分Ｙを位置決めするバンド位置決め部２４が設けられていることを特徴とする保持具１。
【００３０】
付記によれば、機器固定部１３にバンド８の余長部分Ｙを位置決めするバンド位置決め部２４を設けているので、当該バンド位置決め部２４に位置決めされたバンド８の余長部分Ｙを掴むことによって、当該バンド８を容易にホイール取付部１２に着脱することができる。このため、ステアリングホイール２０に対するリモコン装置２の位置調整やバンド８を締め付けなおすことを容易に行うことができる。
【００３１】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００３２】
【図１】本発明の一実施例にかかる保持具を示す斜視図である。
【図２】図１に示された保持具の保持具本体にバンドの一端部を取り付ける状態を示す斜視図である。
【図３】図２に示されたバンドの一端部と固定爪を示す斜視図である。
【図４】図３に示されたバンドをステアリングホイールリングに巻きつけた状態を示す斜視図である。
【図５】図４に示されたバンドの係止孔とホイール取付部の固定爪とを示す斜視図である。
【図６】図５に示されたバンドを機器固定部のバンド位置決め部で位置決めした状態を示す斜視図である。
【図７】図６に示された機器固定部にリモコン装置を取り付ける状態を示す斜視図である。
【図８】図７に示されたリモコン装置が取り付けられた機器固定部の背面からみた斜視図である。
【符号の説明】
【００３３】
１  保持具
２  リモコン装置（電子機器）
８  バンド
１２  ホイール取付部
１３  機器固定部
１３ａ  表面
２０  ステアリングホイール
２４  バンド位置決め部
Ｙ  余長部分
【図１】
2009083576.tif 000003
【図２】
2009083576.tif 000004
【図３】
2009083576.tif 000005
【図４】
2009083576.tif 000006
【図５】
2009083576.tif 000007
【図６】
2009083576.tif 000008
【図７】
2009083576.tif 000009
【図８】
2009083576.tif 000010